(57)【特許請求の範囲】
【請求項１】
双方向共同受信施設の所定の構成機器の状態を表す状態データが、前記所定の構成機器から前記双方向共同受信施設を介して伝送されているセンター装置と、
前記状態データをインターネットを介して伝送可能なサーバーと、
前記インターネットを介して前記サーバーと接続され、前記データを受信する移動通信機とを、
具備し、前記移動通信機は、前記各構成機器のうち所望のものを指定する指定情報入力手段を有し、前記サーバーは、前記指定情報入力手段からの指定情報によって前記移動通信機から指定された構成機器の状態データを前記移動通信機に前記インターネットを介して伝送する双方向共同受信施設の監視システム。
【請求項２】
請求項１記載の双方共同受信施設の監視システムにおいて、前記移動通信機は、前記指定された構成機器の前段及び後段に位置する構成機器の指定手段を有し、前記サーバーは、前記指定された構成機器の前段及び後段の構成機器の状態データを前記前段及び後段に位置する構成機器の指定手段の操作に応じて前記移動通信機に前記インターネットを介して伝送する双方向共同受信施設の監視システム。
【発明の詳細な説明】
【０００１】
【発明の属する技術分野】
本発明は、双方向共同受信施設の各構成機器の状態を監視する監視システムに関し、特に、携帯電話やＰＨＳのような移動通信機を使用したものに関する。
【０００２】
【従来の技術】
共同受信施設の各構成機器の状態を監視する装置として、例えばステータスモニタ装置が知られている。このステータスモニタ装置では、双方向共同受信施設の各構成機器、例えば各双方向増幅器にステータスモニタが設けられている。これらステータスモニタが、対応する双方向増幅器の動作状態を監視し、その監視結果を上り信号によって双方向共同受信施設のヘッドエンド側に設けられているセンター装置に伝送する。このセンター装置によって各双方向増幅器の動作状態の監視が行われる。
【０００３】
【発明が解決しようとする課題】
このステータスモニタ装置では、センター装置においてどの双方向増幅器に故障が生じているか知ることができる。しかし、故障の生じている双方向増幅器の設置場所に派遣された作業員は、その設置場所において、その双方向増幅器についての現在の状態データを、測定器を使用しなければ知ることができない。故障修理の関係上、故障している双方向増幅器の前段（ヘッドエンド側）や後段（端末側）にある双方向増幅器の状態を知りたいことがある。これを知るためには、離れた位置にある前段及び後段の増幅器の設置場所まで作業員自身が出向くか、センター装置の設置場所に駐在している監視員に電話を掛けて、前段及び後段の双方向増幅器の状態を、センター装置から読み取って連絡してもらう必要がある。そのため、双方向共同受信施設に故障が生じた場合に、速やかに復旧させることができなかった。
【０００４】
本発明は、センター装置から離れた位置で双方向共同受信施設の各構成機器の動作状態を知ることができ、故障時に速やかに復旧させることが可能な共同受信施設の監視システムを提供することを目的とする。
【０００５】
【課題を解決するための手段】
本発明による双方向共同受信施設の監視システムは、センター装置を有している。このセンター装置には、双方向共同受信施設の所定の構成機器の状態を表す状態データが、前記所定の構成機器から前記双方向共同受信施設を介して伝送されている。所定の構成機器には、例えば双方向増幅器があるが、この他に所謂ステータスモニタ装置を取り付けることができる構成機器であれば、種々のものを使用することができる。所定の構成機器は、１台だけでもよいが、無論、複数台でもよい。この監視システムは、前記センター装置からの前記状態データをインターネットを介して伝送可能なサーバーを有している。前記インターネットを介して前記サーバーと移動通信機が接続され、移動通信機は、インターネットを介して前記データを受信する。移動通信機としては、携帯電話やＰＨＳを使用することができる。サーバーは、インターネットを介してデータを伝送するので、ハイパーテキスト情報の伝送が可能なＷＥＢサーバーとすることが望ましい。
【０００６】
この監視システムによれば、移動通信機をインターネットを介してサーバーに接続すると、センター装置から状態データをインターネットを介して移動通信機に伝送することができる。従って、この移動通信機を携帯している作業員が、センター装置から離れた位置にいても、構成機器の状態データの内容を知ることができる。
【０００７】
前記移動通信機は、前記各構成機器のうち所望のものを指定する指定情報入力手段を備えている。指定情報入力手段は、例えば所望の構成機器に付された番号、アドレスまたは名称等の識別情報を移動通信機に入力する。この場合、サーバーは、前記指定情報入力手段によって前記移動通信機から指定された構成機器の状態データを、前記移動通信機に前記インターネットを介して伝送する。
【０００８】
このように構成すると、センター装置から離れた位置、例えば故障している構成機器の側で、この移動通信機を携帯している作業員が、この故障している構成機器の識別情報を指定情報入力手段によって移動通信機に入力すると、この故障している構成機器の状態データの内容を、測定器を使用しなくても、知ることができる。
【０００９】
さらに、移動通信機は、前記指定された構成機器の前段及び後段に位置する構成機器の指定手段を備えたものとすることができる。この指定手段は、各構成機器の識別情報を入力するのでなく、既に入力手段によって指定された構成機器の識別情報を基に、前段または後段の構成機器の識別情報を生成させるものである。この場合、前記サーバーは、前記前段及び後段に位置する構成機器の指定手段の操作に応じて前記指定された構成機器の前段及び後段の構成機器の状態データを前記移動通信機に前記インターネットを介して伝送する。
【００１０】
このように構成すると、故障している構成機器の近辺にいる作業員が、前段や後段の構成機器の設置場所まで移動して、測定器を接続したり、わざわざセンター装置の設置場所に電話を掛けて、センター装置の監視員から連絡してもらったりしなくても、故障している構成機器の前段及び後段の構成機器の動作状態を、知ることができる。しかも、前段及び後段の構成機器の識別情報、例えばアドレスや番号や名称を一々入力する必要がなく、指定手段を操作するという簡単な作業を行うだけでよい。
【００１３】
【発明の実施の形態】
本発明の１実施の形態の双方向共同受信施設の監視システムは、図１に示すように、双方向共同受信施設２において使用される。双方向共同受信施設２は、ヘッドエンド４を有し、これから地上波テレビジョン放送信号、衛星放送信号、衛星通信信号等を含む下り信号が伝送路６に伝送されている。この伝送路６によって、ヘッドエンド４から図示していない多数の端末装置に向かって下り信号が伝送される。この伝送路６中には、複数の双方向共同聴視施設構成機器、例えば双方向増幅器が配置されている。図１には、これら双方向増幅器のうち、双方向分岐増幅器８のみを示している。また、伝送路６中には、分岐器１０も設けられている。
【００１４】
これら双方向増幅器８には、図示していないが、ステータスモニタが設けられている。ステータスモニタは、各双方向増幅器８の動作状態を監視し、その監視結果を表す状態データを上り信号としてヘッドエンド４に向けて伝送路６を介して伝送する。この状態データは、ヘッドエンド４側に設けられたステータスモニタセンター装置１２に伝送される。
【００１５】
状態データとしては、双方向増幅器８の筐体の蓋の開閉状態を表すデータ、動作電源が商用電源であるかインバータであるかを表すデータ、筐体内への水の侵入の有無を表すデータ、上り分岐増幅部が上り信号を通過させる状態であるか阻止する状態であるかを表すデータ、上り幹線増幅部が上り信号を通過させる状態であるか阻止する状態であるかを表すデータ、下り増幅部がＡＧＣで動作しているかＭＧＣで動作しているかを表すデータ、下りパイロット信号の出力レベルを表すデータ、ＡＣ電源電圧を表すデータ、ＤＣ電源電圧を表すデータ、筐体内温度を表すデータ、筐体内湿度を表すデータ等がある。
【００１６】
ステータスモニタセンター装置１２に伝送された状態データは、データベース１４に記憶される。各双方向増幅器８には、増幅器番号が割り当てられており、この増幅器番号と対応させて、各状態データがデータベース１４に記憶されている。このデータベース１４では、各双方向増幅器８の状態データが変更される度に、このデータベース１４に記憶されている状態データの内容も更新される。即ち、データベース１４のデータは随時更新されている。このデータベース１４を使用して、ステータスモニタセンター装置１２では、各双方向増幅器の動作状態の監視が行われている。
【００１７】
データベース１４は、サーバー、例えばＷＥＢサーバー１６においても使用される。即ち、データベース１４は、ステータスモニタセンター装置１２とＷＥＢサーバー１６とによって共用されている。ＷＥＢサーバー１６には、専用のホームページが設けられている。このホームページには、インターネット１８を介して移動通信機、例えば携帯電話機２０からアクセスが可能であり、このホームページを携帯電話機２０において見ることによって、各双方向増幅器８の状態データを、ステータスモニタセンター装置１２とは離れた位置にいても、携帯電話機２０の所有者、例えば作業員が知ることができる。
【００１８】
例えば、携帯電話機２０からＷＥＢサーバー１６のＵＲＬを入力して、このホームページのログインのページにアクセスする。そして、ユーザー名とパスワードを入力すると、図２（ａ）に示すような双方向増幅器８のうち状態データを見たいものの増幅器番号を入力する画面が携帯電話機２０に表示される。ここで、指定情報入力手段、例えば携帯電話機２０の操作ボタンを操作して、増幅器番号を入力し、送信と表示された画面上の操作子を操作すると、その増幅器番号に対応する増幅器の状態データが、図２（ｂ）に示すように、サーバーによってデータベース１４から取り出されて、携帯電話機２０の画面に表示される。この状態において、指定手段、例えば携帯電話機２０の操作ボタンのうち所定のものを操作すると、先に増幅器番号が入力された増幅器の１つ前段の増幅器の状態データが表示される。同様に、指定手段、例えば携帯電話機２０の操作ボタンのうち他の所定のものを操作すると、先に増幅器番号が入力された増幅器の１つ後段の増幅器の状態データが表示される。このように前段及び後段の増幅器の状態データを知るために、わざわざ前段及び後段の増幅器の増幅器番号を入力する必要がない。
【００１９】
このように携帯電話機２０において状態データの表示を行うために、図３及び図４に示すようなフローチャートに従って、ＷＥＢサーバー１６は動作する。ＷＥＢサーバー１６では、インターネット１８を介してデータを受信し、そのデータを解析する（ステップＳ２）。そして、解析したデータがログインページへのアクセスを求めるものであるか判断する（ステップＳ４）。アクセスを求めるものであると、携帯電話機２０にログインページを表示するためのデータをインターネット１８を介して伝送し（ステップＳ６）、ステップＳ２に戻る。
【００２０】
ステップＳ４において、ログインページへのアクセスでないと判断されると、ログインの要求を求めるデータであるか判断する（ステップＳ８）。即ち、ユーザー名とパスワードとが入力され、パスワードが予め定められたものと一致するか判断する。ログインの要求であると、ログインし（ステップＳ１０）、増幅器番号を入力するページのデータをインターネット１８を介して携帯電話機２０に送信し（ステップＳ１２）、ステップＳ２に戻る。これによって、携帯電話機２０の画面には、図２（ａ）に示すような表示がなされる。
【００２１】
ログインの要求でないとステップＳ８において判断されると、ログインが既に行われているか判断する（ステップＳ１４）。ログイン中であると判断されると、携帯電話機２０から増幅器番号に対応する増幅器の状態データの伝送が要求されているか判断する（ステップＳ１６）。即ち、図２（ａ）に示す画面において、携帯電話機２０の画面の増幅器番号入力窓に増幅器番号が入力され、画面に表示されている送信操作子が操作されているか判断する。伝送が要求されていると、該当する増幅器の状態データが携帯電話機２０にインターネット１８を介して伝送され（ステップＳ１８）、ステップＳ２が実行される。ステップＳ１８の実行によって、携帯電話機２０の画面には、図２（ｂ）に示すように各状態データが表示される。従って、或る双方向増幅器が故障であると連絡を受けた作業員は、その双方向増幅器の設置場所に到着したときや、到着するまでに、測定器を使用しなくても、その双方向増幅器の現在の状態を知ることができる。
【００２２】
ステップＳ１４において、ログイン中でないと判断されると、メッセージが送信され（ステップＳ２０）、ステップＳ２が実行される。このメッセージとしては、ログインを促す旨のものである。
【００２３】
ステップＳ１６において増幅器番号に対応する増幅器の状態データの伝送要求でないと判断されると、図４に示すように、後段増幅器の状態データの送信要求であるか判断する（ステップＳ２２）。即ち、携帯電話機２０の所定の操作ボタンが操作されたのか判断する。後段増幅器の状態データの送信要求であると、ステップＳ１２で入力された増幅器番号の双方向増幅器の１つ後段の双方向増幅器の状態データを携帯電話機２０にインターネット１８を介して送信し（ステップＳ２４）、ステップＳ２に戻る。ステップＳ２４の実行によって、携帯電話機２０には、後段の双方向増幅器の状態が表示される。
【００２４】
ステップＳ２２において、後段増幅器のデータ要求でないと判断されると、前段増幅器の状態データの送信要求であるか判断する（ステップＳ２６）。即ち、携帯電話機２０の別の所定の操作ボタンが操作されたのか判断する。前段増幅器の状態データの送信要求であると、ステップＳ１２で入力された増幅器番号の双方向増幅器の１つ前段の双方向増幅器の状態データを携帯電話機２０に送信し（ステップＳ２８）、ステップＳ２に戻る。ステップＳ２４の実行によって、携帯電話機２０には、後段の双方向増幅器の状態が表示される。
【００２５】
このように、特定の双方向増幅器の前後段の双方向増幅器の状態データを、特定の双方向増幅器の設置場所において知ることができる。従って、故障の修理を開始する前に、前後段の双方向増幅器に異常があるかないかを、特定の双方向増幅器の設置場所において、ステータスモニタセンター装置の設置場所に電話を一々掛けなくても、知ることができる。また、故障の修理後に、正常に前段及び後段に上り信号及び下り信号がそれぞれ伝送されているかを、故障を修理した双方向増幅器の設置場所で、ステータスモニタセンター装置の設置場所に電話を一々掛けなくても、知ることができる。特に、データベース１４のデータは、状態データが変更されると、その変更に伴って更新されているので、修理が終了後の前段及び後段の双方向増幅器の状態を知ることができる。
【００２６】
ステップＳ２６において前段増幅器のデータ要求でないと判断されると、ログアウト要求であるか判断される（ステップＳ３０）。ログアウト要求であると、ログアウトして（ステップＳ３２）、メッセージを送信し（ステップＳ３４）、ステップＳ２に戻る。このメッセージは、ログアウトした旨のものである。
【００２７】
ステップＳ３０においてログアウトの要求でないと判断されると、メッセージを送信し、ステップＳ２を実行する。このメッセージは、入力された増幅器番号に該当する状態データは存在しない旨のものである。
【００２８】
上記の実施の形態では、携帯電話機を使用したが、これに代えてＰＨＳも使用することができる。また、上記の実施の形態では、後段の増幅器及び前段の増幅器の指定には、携帯電話機の特定の操作ボタンを使用したが、携帯電話機の画面に、前段指定用の操作子と後段指定用の操作子とを表示し、操作ボタンを適切に操作して、これら操作子の上にカーソルを移動させることによって指定してもよい。また、上記の実施の形態では、増幅器番号を入力したが、各双方向増幅器に設けられているステータスモニタのアドレスを入力してもよい。また、全ての双方向増幅器の動作状態をステータスモニタによって監視したが、各双方向増幅器のうち所定のものの動作状態をステータスモニタによって監視してもよい。双方向共同受信施設の構成機器のうち双方向増幅器以外でもステータスモニタを取り付けられる機器であれば、これらも監視してもよい。また、上記の実施の形態では、図２（ｂ）に示すように、増幅器番号と各状態データとを表示したが、増幅器番号に対応する増幅器の所在地も表示してもよい。この所在地の表示は、前段及び後段の増幅器の状態データを表示する場合にも、行える。
【００２９】
【発明の効果】
以上のように、本発明によれば、双方向共同受信施設の各構成機器の動作状態を移動通信機によって確認することができるので、一々測定器を使用したり、センター装置の設置場所に電話を掛けて、センター装置で把握している動作状態を連絡してもらう必要がない。しかも、例えば故障している構成機器の前後段の構成機器の状態も、これらの設置場所に出向くことなく知ることができる。
【図面の簡単な説明】
【図１】本発明の１実施形態の双方向共同受信施設の監視システムのブロック図である。
【図２】図１の監視システムで使用される携帯電話の表示画面を示す図である。
【図３】図１の監視システムで使用されるＷＥＢサーバーのフローチャートの一部を示す図である。
【図４】図１の監視システムで使用されるＷＥＢサーバーのフローチャートの残りの部分を示す図である。
【符号の説明】
２  双方向共同受信施設
４  ヘッドエンド
８  双方向増幅器（構成機器）
１２  ステータスモニタセンター装置（センター装置）
１４  データベース
１６  ＷＥＢサーバー（サーバー）
１８  インターネット
２０  携帯電話機（移動通信機）
【図１】
0003711009.tif 000002
【図２】
0003711009.tif 000003
【図３】
0003711009.tif 000004
【図４】
0003711009.tif 000005